【手続補正書】
【提出日】平成20年6月25日(2008.6.25)
【手続補正１】
【補正対象書類名】明細書
【補正対象項目名】特許請求の範囲
【補正方法】変更
【補正の内容】
【特許請求の範囲】
【請求項１】  多層アセンブリ内の２つの層の間の溶着部を形成するための方法において、この方法は、
第１の外側と内側の表面を有する第１の外側の層（１）と、第２の外側と内側の表面を有する第２の外側の層（２）と、前記第１と第２の層の間に配置された少なくとも一つの中間層（３）とを具備する、個別の層の多層アセンブリを形成する、手順を具備しており、そこでは
第１の層は、与えられた波長範囲内でレーザー光を吸収可能な吸収性構成要素を具備する第１の領域と、吸収性構成要素を具備しない第２の領域とを有しており、
第２の層は、吸収性構成要素を具備する第３の領域を有しており、
前記第３の領域は、前記第２の領域に重なっており、
前記外側の層（１）内の少なくとも一つは、前記レーザー光からのエネルギの任意の吸収が実質的にない状態で、その内側の表面の近傍範囲内へのその外側の表面からの前記レーザー光の伝導を可能にしており、
外側の表面と前記第１の領域との間、及び外側の表面と前記第３の領域との間のそれぞれに、もし少しでも配置される全ての別の層は、前記領域に対応して前記レーザー光の伝導を可能にしており、
該方法は、
前記第１の領域において、前記与えられた波長範囲内のレーザー光（４）を前記外側の層を通り前記吸収性構成要素に向かって放射して、それにより、前記第１の層の表面と前記第１の層に対面する層の表面との間に第１の溶着された部分（６）を形成する手順と、
前記第３の領域において、前記与えられた波長範囲内のレーザー光（４）を、前記外側の層を通り更に前記第２の領域を通り、前記前記吸収性構成要素に向かって放射して、それにより、前記第２の層の表面と前記第３の層に対面する層の表面との間に第２の溶着された部分（６）を形成する手順と、
を具備する方法。
【請求項２】  多層アセンブリ内の２つの層の間の溶着部を形成するための方法において、この方法は、
第１の外側と内側の表面を有する第１の外側の層（１）と、第２の外側と内側の表面を有する第２の外側の層（２）と、前記第１と第２の層の間に配置された少なくとも一つの中間層（３）とを具備する、個別の層の多層アセンブリを形成する、手順であって、そこでは、前記中間層（３）は、そこを通りレーザー光の伝導を可能にし、更に重ならないパターンで、そのそれぞれの表面の両方（７，１０）の一部分において、与えられた波長範囲内でレーザー光を吸収可能な吸収性構成要素を具備しており、前記外側の層（１）の内の少なくとも一つは、前記レーザー光からのエネルギの任意の吸収が実質的にない状態で、その内側の表面の近傍範囲内へのその外側の表面からの前記レーザー光の伝導を可能にする、手順と、
前記与えられた波長範囲内のレーザー光（４）を前記外側の層を通り前記吸収性構成要素に向かって放射する手順と、
それにより、前記吸収性構成要素を具備する前記層の表面と前記吸収性構成要素を具備する前記層に対面する層の表面との間に溶着された部分（６）を形成する手順と、
を具備する方法。
【請求項３】  第１の層（１４，３１）は、そのバルク内において吸収性構成要素を具備しており、更に第２の層（１２，３３）は、表面の一部分において吸収性構成要素を具備する請求項１又は２に記載の方法。
【請求項４】  嚢アセンブリ（２００）内で中間部材を取り付けるために適応される方法において、この方法は、
第１の嚢壁（２０１）と、第２の嚢壁（２０２）と、前記壁の間に配置されていて第１と第２の表面を有する中間部材（２０３）と、を具備する嚢アセンブリを形成する手順であって、各嚢壁（２０１，２０２）が内側と外側の表面を有する手順を具備しており、そこでは
与えられた波長範囲内でレーザー光を吸収可能な吸収性構成要素（２１０）が、前記中間部材と少なくとも一つの嚢壁との間で結合されるべき領域において具備されており、更に
少なくとも一つの前記嚢壁（２０１）は、前記レーザー光からのエネルギの任意の吸収が実質的にない状態で、その内側の表面の近傍範囲内へのその外側の表面からの前記レーザー光の伝導を可能にしており、
更に該方法は、
前記与えられた波長範囲内のレーザー光（２０６）を結合されるべき前記単数又は複数の領域に向かって放射する手順と、
それにより、前記中間部材と前記少なくとも一つの嚢壁との間に溶着された部分（２０７）を形成する手順と、
を具備する請求項１又は２に記載の方法。
【請求項５】  結合されるべき第１の領域（２０７）は、前記中間部材（２０３）のその第１の表面の一部分と前記第１の嚢壁（２０１）の内側の表面との間に形成されており、更に
結合されるべき第２の領域（２０９）は、前記中間部材のその第２の表面の一部分と前記第２の嚢壁（２０２）の内側の表面との間に形成されており、
前記吸収性構成要素（２１０，２１１）は、好適には重ならないパターンで、前記第１と第２の領域に具備される請求項４に記載の方法。
【請求項６】  結合されるべき第１の領域（３０７）は、前記中間部材（３０３）のその第１の表面の一部分と前記第１の嚢壁（３０１）の内側の表面との間に形成されており、更に
結合されるべき第２の領域（３０５）は、前記中間部材のその第２の表面の一部分と別の中間部材（３０４）の表面との間に形成されており、
前記吸収性構成要素は、好適には重ならないパターンで、前記第１と第２の領域に具備される請求項４に記載の方法。
【請求項７】  前記第１の嚢壁（２０１）は、結合されるべき前記第１の領域（２０７）に対応して、そこを通りレーザー光（２０６）の伝導を可能にしており、前記第１の嚢壁と前記中間部材（２０３）は、結合されるべき前記第２の領域（２０９）に対応して、そこを通りレーザー光（２０８）の伝導を可能にしており、更に
レーザー光は、前記第１の嚢壁を通り、前記第１と第２の領域に向かって放射される
請求項５又は６に記載の方法。
【請求項８】  前記第１と第２の嚢壁はそれらの周辺部において周囲の角部を有しており、前記中間部材の角部は、前記周囲の角部の範囲内において少なくとも一つの位置に対応するそれへの距離で制限される、請求項４から７のいずれか一項に記載の方法。
【請求項９】  第１の外側と内側の表面を有する第１の外側の層（１）と、
第２の外側と内側の表面を有する第２の外側の層（２）と、
前記第１と第２の層の間に配置された少なくとも一つの中間層（３）と、
を具備する、多層アセンブリにおいて、
第１の層は、与えられた波長範囲内でレーザー光を吸収可能な吸収性構成要素を具備する第１の領域と、吸収性構成要素を具備しない第２の領域とを有しており、
第２の層は、与えられた波長範囲内でレーザー光を吸収可能な吸収性構成要素を具備する第３の領域を有しており、
前記第３の領域は前記第２の領域に重なっており、
前記外側の層の内の少なくとも一つは、前記レーザー光からのエネルギの任意の吸収が実質的にない状態で、その内側の表面の近傍範囲内へのその外側の表面からの前記レーザー光の伝導を可能にしており、
外側の表面と前記第１の領域との間、及び外側の表面と前記第３の領域との間のそれぞれに、もし少しでも配置される全ての別の層は、前記領域に対応して前記レーザー光の伝導を可能にしており、
該多層アセンブリは、
前記第１の領域の表面と前記第１の層に対面する層の表面との間に形成される、第１の溶着部（６）であって、前記第１の溶着部は前記第１の領域に対応する、第１の溶着部（６）と、
第２の溶着部（６）は、前記第３の領域の表面と前記第２の層に対面する層の表面との間に形成される、第２の溶着部（６）であって、前記第２の溶着部は前記第３の領域に対応する、第２の溶着部（６）と、
を更に具備する多層アセンブリ。
【請求項１０】  第１の外側と内側の表面を有する第１の外側の層（１）と、
第２の外側と内側の表面を有する第２の外側の層（２）と、
前記第１と第２の層の間に配置された少なくとも一つの中間層（３）であって、前記中間層（３）が、そこを通りレーザー光の伝導を可能にし、更に重ならないパターンで、そのそれぞれの表面の両方（７，１０）の一部分において、与えられた波長範囲内でレーザー光を吸収可能な吸収性構成要素を具備する、中間層（３）と、
を具備する、多層アセンブリにおいて、
前記外側の層の内の少なくとも一つは、前記レーザー光からのエネルギの任意の吸収が実質的にない状態で、その内側の表面の近傍範囲内へのその外側の表面からの前記レーザー光の伝導を可能にしており、
該多層アセンブリは、
前記吸収性構成要素を具備する前記中間層の表面と前記吸収性構成要素を具備する前記層に対面する層の表面との間に形成された溶着部（６）、を更に具備する多層アセンブリ。
【請求項１１】  第１の層（１４，３１）は、そのバルク内において吸収性構成要素を具備しており、更に第２の層（１２，３３）は、表面の一部分において吸収性構成要素を具備する請求項９又は１０に記載の多層アセンブリ。
【請求項１２】  第１の嚢壁（２０１）と、第２の嚢壁（２０２）と、前記嚢壁の間に配置されていて第１と第２の表面を有する中間部材（２０３）と、を具備する多層アセンブリ（２００）において、
各嚢壁（２０１，２０２）が内側と外側の表面を有しており、そこでは
与えられた波長範囲内でレーザー光を吸収可能な吸収性構成要素（２１０）が、前記中間部材と少なくとも一つの嚢壁との間の領域において具備されており、更に
該多層アセンブリは、
前記吸収性構成要素を具備する領域に対応して、前記少なくとも一つの嚢壁と前記中間部材との間に形成された、溶着部（２０７）を、
更に具備する請求項９又は１０に記載の多層アセンブリ（２００）。
【請求項１３】  第１の領域は、前記中間部材（２０３）のその第１の表面の一部分と前記第１の嚢壁（２０１）の内側の表面との間に形成されており、更に
第２の領域は、前記中間部材のその第２の表面の一部分と前記第２の嚢壁（２０２）の内側の表面との間に形成されており、
前記吸収性構成要素（２１０，２１１）は、好適には重ならないパターンで、前記第１と第２の領域に具備される請求項１２に記載の多層アセンブリ。
【請求項１４】  第１の領域（３０７）は、前記中間部材（３０３）のその第１の表面の一部分と前記第１の嚢壁（３０１）の内側の表面との間に形成されており、更に
第２の領域（３０５）は、前記中間部材のその第２の表面の一部分と別の中間部材（３０４）の表面との間に形成されており、
前記吸収性構成要素は、好適には重ならないパターンで、前記第１と第２の領域に具備される請求項１２に記載の多層アセンブリ。
【請求項１５】  前記第１の嚢壁（２０１）は、前記第１の領域に対応して、そこを通りレーザー光（２０６）の伝導を可能にしており、前記第１の嚢壁と前記中間部材（２０３）は、前記第２の領域に対応して、そこを通りレーザー光（２０８）の伝導を可能にする請求項１３又は１４に記載の多層アセンブリ。
【請求項１６】  前記第１と第２の嚢壁はそれらの周辺部において周囲の角部を有しており、前記中間部材の角部は、前記周囲の角部の範囲内において少なくとも一つの位置に対応するそれへの距離で制限される、請求項１２から１５のいずれか一項に記載の多層アセンブリ。
【請求項１７】  前記吸収性構成要素は、シアニン色素、スクアリリウム色素、及びクロコニウム色素を具備するグループから選択されており、
使用されるレーザーは８００から１１００ｎｍ波長の範囲内の波長を有する
請求項１から８のいずれか一項に記載の方法。
【請求項１８】  前記吸収性構成要素は、シアニン色素、スクアリリウム色素、及びクロコニウム色素を具備するグループから選択される請求項９から１６のいずれか一項に記載のアセンブリ。